(57)【要約】【課題】物品を収納したまま、物品に付着した水や土、ゴミなどを外部に流出自在な物品収容トレーを提供する。【解決手段】板紙の中央部に、複数のスリットを設けることにより、一対の桟部と複数の横仕切板とを形成し、両桟部の側縁に連設された一対の第１側板を折り曲げ、両第１側板を折り曲げる際に、各横仕切板の左右側縁と両第１側板とを連結する連結板を折り畳んで各横仕切板を垂直姿勢とし、両第１側板の下縁に連設された一対の底板を両底板の先端縁を折り曲げると共に、両底板の先端縁に沿って連設された一対の縦仕切板を折り曲げて、両縦仕切板と各横仕切板とのそれぞれに設けられた嵌合スリットを嵌合させ、両桟部の内側縁に連設された一対の第２側板を折り曲げ、組立状態においては、各横仕切板の下縁と底板との間及び第２側板の下縁と底板との間に間隙が形成されている。【選択図】　図１
2004083060.tif 000002
【特許請求の範囲】
【請求項１】
打抜き形成された大略矩形状の板紙を折り曲げることにより組立てられ、複数の物品を配列して収容するトレーであって、
前記板紙の中央部の前後方向の両端部に、左右方向に延びる２つの桟部用スリットを設けることにより該桟部用スリットの外側に一対の桟部を形成し、
該桟部用スリット間に横仕切用スリットを設けることにより両桟部間に平行に配列された複数の横仕切板を形成し、
両桟部の横仕切板と直交する側縁にそれぞれ折目線を介して連設された一対の第１側板を、両桟部に対して直角に下方に折り曲げ、
両第１側板を折り曲げる際に、各横仕切板の左右側縁と両第１側板とを複数の折目線を介して連結する連結板を折り畳んで各横仕切板を垂直姿勢とし、
両第１側板の下縁に折目線を介して連設された一対の底板を両底板の先端縁を互いに当接する方向に水平に折り曲げると共に、両底板の先端縁に沿って折目線を介して連設された一対の縦仕切板を両底板に対して直角に上方に折り曲げて、両縦仕切板と各横仕切板とのそれぞれに設けられた嵌合スリットを互いに嵌合させ、
前記両桟部の内側縁に折目線を介して連設された一対の第２側板を各桟部に対して直角に下方に折り曲げ、
両第２側板に形成された係合孔を各縦仕切板の前後方向の端部に突設された係合突起に係合させることによって組立状態が維持され、
該組立状態においては、各横仕切板の下縁と底板との間及び第２側板の下縁と底板との間に間隙が形成されていることを特徴とする物品収納トレー。
【請求項２】
前記第２側板の下縁に折目線を介して取手片を連設し、該取手片を折目線に沿って水平に外側に折り曲げることにより、該取手片と前記桟部とからなる取手部を形成することを特徴とする請求項１記載の物品収納トレー。
【請求項３】
前記第１側板の下縁部に流出孔を設けたことを特徴とする請求項２記載の物品収納トレー。
【請求項４】
前記流出孔は、前記底板にも設けられていることを特徴とする請求項３記載の物品収納トレー。
【発明の詳細な説明】
【０００１】
【発明の属する技術分野】
本発明は、打抜き形成された大略矩形状の板紙を折り曲げることにより組立てられ、複数の物品を配列して収容するトレーに関する。
【０００２】
【従来の技術】
従来、一枚の段ボールを折り曲げることにより、十字状仕切板が一体に形成される苺パック用などのトレーが知られている。該トレーは、４つの側板と縦仕切板と横仕切板と底板とで構成される。横仕切板と縦仕切板とは、それぞれ中央部にそれぞれ対向して形成されたスリットにより、十字状に係合されている。
【０００３】
しかしながら、該トレーの形状では、４つの側板がいずれも底板に接している。このため、物品として、例えば育苗ポットを収納する場合に、トレー内に水や土、ゴミなどが溜まり易く、この水や土、ゴミなどを取り除くには育苗ポットをすべて取り出す必要があり不便であった。
【０００４】
【発明が解決しようとする課題】
本発明は上記背景を鑑みてなされたものであり、物品を収納したまま、物品に付着した水や土、ゴミなどを外部に流出自在な物品収容トレーを提供することを目的とする。
【０００５】
【課題を解決するための手段】
上記目的を達成するため、本発明の物品収容トレーは、打抜き形成された大略矩形状の板紙を折り曲げることにより組立てられ、複数の物品を配列して収容するトレーであって、前記板紙の中央部の前後方向の両端部に、左右方向に延びる２つの桟部用スリットを設けることにより該桟部用スリットの外側に一対の桟部を形成し、該桟部用スリット間に横仕切用スリットを設けることにより両桟部間に平行に配列された複数の横仕切板とを形成し、両桟部の横仕切板に直交する側縁にそれぞれ折目線を介して連設された一対の第１側板を両桟部に対して直角に下方に折り曲げ、両第１側板を折り曲げる際に、各横仕切板の左右側縁と両第１側板とを複数の折目線を介して連結する連結板を折り畳んで各横仕切板を垂直姿勢とし、両第１側板の下縁に折目線を介して連設された一対の底板を両底板の先端縁を互いに当接する方向に水平に折り曲げると共に、両底板の先端縁に沿って折目線を介して連設された一対の縦仕切板を両底板に対して直角に上方に折り曲げて、両縦仕切板と各横仕切板とのそれぞれに設けられた嵌合スリットを互いに嵌合させ、前記両桟部の内側縁に折目線を介して連設された一対の第２側板を各桟部に対して直角に下方に折り曲げ、両第２側板に形成された係合孔を各縦仕切板の前後方向の端部に突設された係合突起に係合させることによって組立状態が維持され、該組立状態においては、各横仕切板の下縁と底板との間及び第２側板の下縁と底板との間に間隙が形成されていることを特徴とする。
【０００６】
かかる発明によれば、一対の第２側板と各横仕切板との下縁と、一対の底板とのそれぞれの間に間隙が形成されているため、収納物品に付着した水や土、ゴミなどを、物品をトレーに収納したままの状態で、間隙からトレーの外部に排出することができる。
【０００７】
また、前記第２側板の下縁に折目線を介して取手片を連設し、該取手片を折目線に沿って水平に外側に折り曲げることにより、該取手片と前記桟部とからなる取手部を形成することが好ましい。
【０００８】
これにより、取手片と桟部とにより取手部を形成するためトレーを容易に持ち上げることができる。
【０００９】
また、前記第１側板の下縁部に流出孔を設けていることが好ましく、さらに、該流出孔は、前記底板にも設けられていることが好ましい。
【００１０】
該流出孔により、第１側板及び底板からも水や土、ゴミなどを排出することができる。
【００１１】
【発明の実施の形態】
本発明の一実施形態を図１から図５を参照して説明する。図１は本実施形態の物品収納トレーを示す説明図、図２は本実施形態の展開図、図３及び図４は本実施形態の組立途中を示す斜視図、図５は図１のＩＩ−ＩＩ線断面図である。
【００１２】
本実施形態の物品収納トレーは、図１に示すように、上方が開放されていると共に複数に仕切られ、図示しない複数の育苗ポットが配列して収納されるものである。本実施形態の物品収納トレーＡは、図２に展開して示すように、一枚の板紙１を打抜いて形成される。板紙１は、段ボール製であるため、土中に埋めて生分解させることも可能である。また、板紙１の表面には、防水加工と防黴加工とが施されている。このため、育苗ポットを物品収納トレーＡに収納したまま散水しても、トレーとして要求される強度を保つことができる。板紙１の中央部の前後方向の両端部には、左右方向に延びる一対の桟部２が形成されている。両桟部２の左右方向の両端縁には、山折目線ａを介して、一対の第１側板３がそれぞれ連設されている。
【００１３】
両桟部２の前後方向の内側縁には、山折目線ｂを介して、一対の第２側板４がそれぞれ連設されている。両第２側板４の中央部には係合孔５がそれぞれ形成されている。両第２側板４の前後方向の内側縁には、山折目線ｃを介して、取手片６がそれぞれ連設されている。両取手片６の中央部には第１嵌合用スリット７ａがそれぞれ形成されている。
【００１４】
両取手片６の前後方向の内側縁には、それぞれ第１Ｕ字状スリット８ａを介して、第１・第２横仕切板９ａ，９ｂが設けられている。本実施形態においては、第１Ｕ字状スリット８ａが桟部用スリットとして機能する。第１・第２横仕切板９ａ，９ｂの中央部には、それぞれ前後方向の内縁から外側に延びる第２嵌合用スリット７ｂが形成されている。
【００１５】
第１横仕切板９ａと第２横仕切板９ｂとの間には、それぞれＨ字状スリット１０と第２Ｕ字状スリット８ｂとを介して、第３横仕切板９ｃが設けられている。本実施形態においては、Ｈ字状スリット１０と第２Ｕ字状スリット８ｂとが横仕切用スリットとして機能する。第３横仕切板９ｃの中央部には、Ｈ字状スリット１０から後方向に延びる第３嵌合用スリット７ｃが形成されている。
【００１６】
第１横仕切板９ａの左右方向の両端縁には、谷折目線ｘを介して、一対の第１連結板１１ａがそれぞれ連設されている。両第１連結板１１ａは、谷折目線ｘの前方向の端から４５度に外側へ傾斜してＨ字状スリット１０の端部まで延びる山折目線ｄを介して、両第１側板３とそれぞれ連設されている。
【００１７】
同様に、第２横仕切板９ｂの左右方向の両端縁には、谷折目線ｘを介して、一対の第２連結板１１ｂがそれぞれ連設されている。両第２連結板１１ｂは、谷折目線ｘの後方向の端から４５度に外側へ傾斜して第２Ｕ字状スリット８ｂの端部まで延びる山折目線ｄを介して、両第１側板３とそれぞれ連設されている。
【００１８】
同様に、第３横仕切板９ｃの左右方向の両端縁には、谷折目線ｘを介して一対の第３連結板１１ｃがそれぞれ連設されている。両第３連結板１１ｃは、谷折目線ｘの後方向の端から４５度に外側に傾斜してＨ字状スリット１０の端部まで延びる山折目線ｄを介して、両第１側板３とそれぞれ連設されている。
【００１９】
両第１側板３の左右方向の外側縁には、山折目線ｅを介して一対の底板１２がそれぞれ連設されている。両底板１２の左右方向の外側縁には、山折目線ｆを介して一対の縦仕切板１３がそれぞれ連設されている。両底板１２には、複数の流出孔１４がそれぞれ形成されている。一部の流出孔１４は、第１側板３又は縦仕切板１３に跨って形成されている。両縦仕切板１３の左右方向の外縁には、各横仕切板９ａ，９ｂ，９ｃを起立させたときに接触する位置に、それぞれ第４嵌合用スリット７ｄが設けられている。
【００２０】
また、第２側板４を、山折目線ｂを介して、直角に下方に折り曲げるとき、第２側壁板４と両縦仕切板１３とが接触しないように、両縦仕切板１３の前後方向の両端部分に略扇状切欠部１５がそれぞれ形成されている。各略扇状切欠部１５の軸部分には、第２側板４の係合孔５と係合する係合突起１６がそれぞれ突設されている。また、各略扇状切欠部１５の左右方向の内端には、第２側板４と嵌合してロックする嵌合溝１７が形成されている。
【００２１】
次に、本実施形態の物品収納トレーの組立方法について説明する。
【００２２】
本実施形態の物品収納トレーＡは、図３、図４に示すように、一枚の板紙１を折り曲げて組み立てられる。まず、図２を参照して、両第１側板３を、山折目線ａを介して、下方に垂直に折り曲げる。これとともに、山折目線ｄを介して各連結板１１ａ〜１１ｃをそれぞれ第１側板３に重合させるように垂直に折り返す。さらに、これとともに、谷折目線ｘを介して各横仕切板９ａ〜９ｃを直角に折り曲げ起立させる。
【００２３】
そして、両底板１２を、山折目線ｅを介して水平に折り曲げる。このように水平に折り曲げられた底板１２は、起立状態の各横仕切板９ａ〜９ｃの下方に離して位置され、これによって後述する間隙１８が形成される。次いで、両縦仕切板１３を、山折目線ｆを介して、両底板１２に対し垂直に上方に折り曲げる。このとき、図３、図４に示すように、各第２，第３嵌合用スリット７ｂ，７ｃと各第４嵌合用スリット７ｄとが係合する。これにより、各横仕切板９ａ〜９ｃは、起立状態が維持される。
【００２４】
続いて、両第２側板４を、山折目線ｂを介して、下方に垂直に折り曲げる。このとき、図５に示すように、両第２側板４は、各嵌合溝１７に嵌合してロックされる。これにより、両第２側板４は、垂直状態を維持する。また、図１に示すように、各係合突起１６は、各係合孔５と係合する。これにより、本実施形態における物品収納トレーＡの組立状態が維持される。
【００２５】
そして、図５に示すように、取手片６を、山折目線ｃを介して、水平に折り曲げる。このとき、取手片６と、桟部２とで取手部を形成するため、物品収納トレーＡを持ち運ぶことが容易となる。
【００２６】
このようにして、本実施形態の物品収納トレーＡは、各折目線に沿って折り曲げるだけで一枚の板紙１から容易に組み立てることができる。さらに、物品収納トレーＡには、図５に示すように、両第２側板４および各横仕切板９ａ〜９ｃと、両底板１２との間に間隙１８が形成されている。これにより、物品収納トレーＡを傾けて軽く揺するだけで、育苗ポットからこぼれて物品収納トレーＡ内に溜まった水滴や土、ゴミ等を間隙１８を介してトレーＡの外に円滑に排出することが出来る。さらに、流出孔１４からも水滴や土、ゴミを取り除くことができる。
【００２７】
なお、本実施形態においては、収納する物品として育苗ポットを使用するものを説明したが、物品は他のものでもよい。
【図面の簡単な説明】
【図１】本実施形態の物品収納トレーを示す説明図
【図２】本実施形態の展開図。
【図３】本実施形態の組立途中を示す斜視図。
【図４】本実施形態の組立途中を示す斜視図。
【図５】図１のＩＩ−ＩＩ線断面図。
【符号の説明】
１…板紙、　２…桟部、　３…第１側板、４…第２側板、　５…係合孔、　６…取手片、　７…嵌合用スリット、　８…Ｕ字状スリット、　９…横仕切板、　１０…Ｈ字状スリット、　１１…連結板、　１２…底板、　１３…縦仕切板、１４…流出孔、　１５…略扇状切欠部、　１６…係合突起、　１７…嵌合溝、　１８…間隙、　Ａ…物品収納トレー、　ａ，ｂ，ｃ，ｄ，ｅ，ｆ…山折目線、　ｘ…谷折目線。
【図１】
2004083060.tif 000003
【図２】
2004083060.tif 000004
【図３】
2004083060.tif 000005
【図４】
2004083060.tif 000006
【図５】
2004083060.tif 000007